(57)【要約】      （修正有）【課題】ロールペーパーの先端部を簡単な操作で送り出せる簡潔な構造のペーパーホルダーを提供する。【解決手段】基部１に設けた芯受け体４に吊り下げ用の空洞Ｋを有する円筒状芯材Ｓに巻着したロールペーパーＲを基部１と平行且つ水平に吊り下げ可能としたロール装填部２と、ロール支持部３に設けた枢支部７を介して上下擺動可能とすると共に先端部に設けたペーパー切断刃５ａでロールペーパーＲの前側のペーパーＰを切断可能としたペーパー切断部５とを備えたペーパーホルダーにおいて、ロールペーパーＲの外周面に対してペーパーＰの先端部を送り出す方向には抵抗少なく且つその逆方向には抵抗大とする逆止面９ａを有するロール送り出し部８をロールペーパーＲの後側面に対して常に当接可能となるように装着し、ロールペーパーＲ外周面の前側上部面部位に当接しつつロールペーパーＲを押し上げ可能とするロール押圧部６をペーパー切断部５の先端部に設ける。【選択図】図２
2014239946.tif 000002
【特許請求の範囲】
【請求項１】
基部から前方に突出させたロール支持部に芯受け体を設けて該芯受け体に吊り下げ用の空洞を有する円筒状芯材に巻着したロールペーパーを前記基部と平行且つ水平に吊り下げ可能としたロール装填部と、前記基部又はロール支持部に設けた枢支部を介して上下擺動可能とすると共に先端部に設けたペーパー切断刃で前記ロールペーパーの前側のペーパーを切断可能としたペーパー切断部とを備えたペーパーホルダーにおいて、
前記ロールペーパーの外周面に対して前記ペーパーの先端部を送り出す方向には抵抗少なく且つその逆方向には抵抗大とする逆止面を有するロール送り出し部を前記ペーパーの使用により径が減衰するロールペーパーの後側面に対して常に当接可能となるように装着し、前記ロールペーパー外周面の前側上部面から下面にかけての部位に当接し、前記芯材が芯受け体で支持されつつ回動して該ロールペーパーを押し上げ可能とするロール押圧部を前記基部又はロール支持部に設けたことを特徴とするペーパーホルダー。
【請求項２】
ロール押圧部がペーパー切断部と一体的に形成され、該ロール押圧部に前記ペーパーの使用により径が減衰したロールペーパー外周面の前方部に常に当接可能とするように湾曲させた板面を備えたことを特徴とする請求項１に記載のロールペーパーホルダー。
【請求項３】
逆止面を有する逆止体を、装填されたロールペーパーへの接触面を上方へ傾斜させた偏向植込み繊維面で形成したことを特徴とする請求項１又は２に記載のロールペーパーホルダー。
【請求項４】
ペーパー切断部の基部とペーパー切断部との間に、ペーパー切断刃が元の位置に戻るように付勢する戻りバネを設けたことを特徴とする請求項１から３のうちいずれかに記載のロールペーパーホルダー。
【発明の詳細な説明】
【技術分野】
【０００１】
本発明は、ロールペーパーの先端部を送り出してペーパーを引き出し易くしたペーパーホルダーに関する。
【背景技術】
【０００２】
従来のロールタイプのトイレットペーパーのホルダーは、ホルダーに装填されたペーパーを使用したとき、ペーパーの先端部が上蓋の先端に設けたペーパー切断刃によって切断されることで刃先より手前側が全て切り取られてなくなってしまうため、次に使用するときにペーパーを指で摘めず、このためペーパーを容易に引き出すことができないという難点がある。
そのような難点を解消するために、ホルダーに装填されたトイレットペーパーの先端部を送り出す技術に関し、下記特許文献１には、蓋部に送り出し機能を設けることが提案されている。該ホルダーでは、蓋部がバネで上がるように付勢されており、蓋部を下に押し付けてペーパーを切断した後に手を離すと自動的に蓋部が上がるが、その際、ロールペーパーの背面に垂れ下げた送り出し部が蓋部と共に上に上がることで、ロールペーパーの上部が前へ回転して蓋部の先端からペーパー先端部が送り出される。
【先行技術文献】
【特許文献】
【０００３】
【特許文献１】特開２００５−１４４１１２号公報
【発明の概要】
【発明が解決しようとする課題】
【０００４】
しかしながら、前記特許文献１のホルダーでは、蓋の下面に対する取付け構造が複雑となり既存のホルダーには取付け難い。
そこで本発明は、既存のホルダーに容易に取付けでき且つペーパーの先端部を簡単な操作で送り出し可能となる簡潔な構造のペーパーホルダーを提供することを目的とする。
【課題を解決するための手段】
【０００５】
上記課題を解決するため、本発明のペーパーホルダーにおける請求項１の発明は、基部から前方に突出させたロール支持部に芯受け体を設けて該芯受け体に吊り下げ用の空洞を有する円筒状芯材に巻着したロールペーパーを前記基部と平行且つ水平に吊り下げ可能としたロール装填部と、前記基部又はロール支持部に設けた枢支部を介して上下擺動可能とすると共に先端部に設けたペーパー切断刃で前記ロールペーパーの前側のペーパーを切断可能としたペーパー切断部とを備えたペーパーホルダーにおいて、前記ロールペーパーの外周面に対して前記ペーパーの先端部を送り出す方向には抵抗少なく且つその逆方向には抵抗大とする逆止面を有するロール送り出し部を前記ペーパーの使用により径が減衰するロールペーパーの後側面に対して常に当接可能となるように装着し、前記ロールペーパー外周面の前側上部面から下面にかけての部位に当接し、前記芯材が芯受け体で支持されつつ回動して該ロールペーパーを押し上げ可能とするロール押圧部を前記基部又はロール支持部に設けたことを特徴とする。
【０００６】
請求項２の発明は上記発明において、前記ロール押圧部がペーパー切断部と一体的に形成され、該ロール押圧部に前記ペーパーの使用により径が減衰したロールペーパー外周面の前方部に常に当接可能とするように湾曲させた板面を備えたことを特徴とする。
【０００７】
請求項３の発明は上記発明において、前記逆止面を有する逆止体を、装填されたロールペーパーへの接触面を上方へ傾斜させた偏向植込み繊維面で形成したことを特徴とする。
【０００８】
請求項４の発明は上記発明において、前記ペーパー切断部の基部とペーパー切断部との間に、ペーパー切断刃が元の位置に戻るように付勢する戻りバネを設けたことを特徴とする。
【発明の効果】
【０００９】
本発明のペーパーホルダーは上記構成であり、ロール押圧部を手で押すと芯受け体に支持されたロールペーパーが前記ロール送り出し部の逆止面を上方向に回動しつつ押し上げられる。
そして、そのロールペーパーは手を離すと押圧が解除されて自重で落下するが、その際にロール送り出し部の逆止面によってロールペーパーの上部の後方向への回転が停止されるため、前方向に回転しつつ落下する。
そして、ロールペーパーの先端部がペーパー切断刃から前に送り出され、この送り出されたロールペーパーの先端部は指で捲ることができる範囲となり、その結果その捲った部分を摘めば簡単に引き出しが可能となる。
即ち、ロール押圧部を押すという簡単な操作でロールペーパーの先端部の引き出しが可能となる。
【００１０】
請求項２の発明においては、前記ロール押圧部がペーパー切断部と一体的に兼用され、湾曲させた板面が前記ペーパーの使用により径が減衰しても前記ロール押圧部がロールペーパーの前方部に常に当接可能となる。このため、前記ロール押圧部を押したとき、ロールペーパーが確実に押し上げられるようになる。
【００１１】
請求項４の発明においては、逆止体の逆止面を偏向植込み繊維面としたことで、上方へ傾斜した偏向植込み繊維面がロールペーパーの後面に接触したとき、ロールペーパーを押し上げるときには前記偏向植込み繊維面で抵抗なく押し上げられ、次に手を離したとき偏向植込み繊維面の繊維がペーパーの繊維に刺さって落下し、その後方向への回転が確実に停止され、逆止効果を高められる。
【００１２】
請求項５の発明においては、前記ペーパー切断部の基部とペーパー切断部との間に該ペーパー切断部が水平となる位置に戻るように付勢する戻りバネを設けたので、ペーパー切断部の自重による荷重が軽減されてロールペーパーの送り出し移動に対する圧力が軽減される。このためペーパー切断部の重さで邪魔されることなくロールペーパーが後戻り回転するのが防止され、確実にペーパー先端部を送り出すことが可能となる。
【図面の簡単な説明】
【００１３】
【図１】本発明の縦断斜視図である。
【図２】ロールペーパーを装填した状態を示す縦断斜視図である。
【図３】ペーパーを送り出した使用状態を示す縦断斜視図である。
【図４】ロールペーパーの径が小さくなった使用状態を示す縦断斜視図である。
【図５】ロール支持部に戻しバネを設けた形態を示す縦断斜視図である。
【図６】ペーパー切断部を下に押してロールペーパーを押し上げた使用状態を示す縦断斜視図である。
【図７】ペーパーを送り出した使用状態を示す縦断側面である。
【図８】芯受け体の上部でロールペーパーを一点支持とした態様を示す縦断側面である。
【発明を実施するための形態】
【００１４】
本発明の実施形態を以下説明する。
本発明は芯材が比較的幅広い空洞を備えたロールペーパーを対象とし、例えば、トイレットペーパーは直径４ｃｍ程度の空洞を有する円筒形の芯材に幅約１１ｃｍの帯状のパーパーが外径約１０ｃｍ程度の厚さに巻着されているロールペーパーを対象とする。そして、該芯材は指で押しても簡単には潰れずに円筒形を保持しうる一定の硬さを有する。
【００１５】
本発明のペーパーホルダーは、図１及び図２に示すように、そのようなロールペーパーＲを保持するロール装填部２と該ロールペーパーＲの先端部を切断するペーパー切断部５を備える。
前記ロール装填部２にはトイレの壁面に取り付けるための直立させた板状基部１の前面１ａに左右のロール支持部３を突出させ、該両ロール支持部３間に長さ約４ｃｍ程で幅１ｃｍ程の芯受け体４を備える。
【００１６】
本実施例では、前記ロールペーパーＲの芯材Ｓは芯受け体４との間には芯受け体４の４倍以上の広い遊び空間が形成されて前記芯受け体４に前記ロールペーパーＲが吊り下げられた態様を図示しているが、この空洞Ｋと前記芯受け体４との関係は、前記芯受け体４の上部である当接部ｊを中心として吊られた前記ロールペーパーＲが、図８に示すように、該ロールペーパーＲの重心ｃ１がｃ２へと回動して一定の高さに重心を押し上げることができる関係を有する。
【００１７】
該芯受け体４は円筒状芯材ＳにペーパーＰを巻着したロールペーパーＲを前記基部１と平行且つ水平に吊って保持できるように、両側のロール支持部３から向かい合うように突出可能に設ける。
なお、前記ロール支持部３と前記芯受け体４とは別部品を組み合わせたものと、一体としたものとが可能である。
【００１８】
図１では、前記芯受け体４の基部が芯受け体折畳み収納溝１５内の下部に枢支され、芯受け体折畳み収納溝１５内に前記芯受け体４が上向きに折り畳めるように連結され、該芯受け体４は水平状態でそれよりも下がらないように停止する構造の態様を示している。
この態様ではロールペーパーＲを下から入れると、前記芯受け体４が上に折り畳まれてロールペーパーＲの側面が上へスライドし、芯材Ｓが前記芯受け体４の先端部を通過した後ロールペーパーＲを下げると芯受け体４が芯材Ｓの円筒内に入り込む。そして、ロールペーパーＲを下げると前記芯受け体４が水平となって停止し、ロールペーパーＲの芯材Ｓが前記芯受け体４の出隅部４ａ、４ｂに乗ってロールペーパーＲが水平に吊られる仕組みである。その際、前記芯材Ｓよりも前記芯受け体４が小さいので前記芯材Ｓ内の前記芯受け体４の下方には広い空洞Ｋができる。
【００１９】
又、前記ペーパー切断部５は前部が上に膨らむように湾曲した板状を成し、前記ロール支持部３に設けた枢支部７を介してその基部５ｂを上下擺動可能に枢支する。図１中の７ａはペーパー切断部５を前記ロール支持部３に枢支するための枢支軸７ａである。
そして、前記ペーパー切断部５の先端部にはペーパー切断刃５ａを設ける。
該ペーパー切断刃５ａは、図２に示すように、前記ロール装填部２に装填した前記ロールペーパーＲの前側のペーパーＰ１に当たり、先端を引き出したペーパーＰを前記ペーパー切断部５を押えて上に向けて引くとペーパーＰが切断されるように前記ペーパー切断部５の先端部に尖ったペーパー切断刃５ａを一体的に形成する。
【００２０】
なお、該ペーパー切断刃５ａは一定の幅に形成し、既存のトイレットペーパーホルダーの上蓋の先端部に直接接着剤等で固設する後付可能な態様も可能である。その幅の広さと取付け方向を調節すれば、ペーパー切断部５の先端部側を任意の深い湾曲状態に形成することが可能となる。
なお、前記ペーパー切断部５を枢支する枢支部７はロール支持部３以外に前記基部１に対して設けることも可能である。
【００２１】
又、前記基部１の前面１ａに、図４に示すように、前記ペーパーＰの使用により径が減衰するロールペーパーＲの後側面に対して常に当接可能となるロール送り出し部８を装着する。
該ロール送り出し部８には前記ペーパーＰの先端部Ｐ１を送り出すための上部が前方へ回転する方向にはロールペーパーＲの外周面に対して抵抗少なく且つその逆方向には抵抗大とした逆止面９ａを有する逆止体９を設ける。
【００２２】
前記逆止体９の逆止面９ａは装填されたロールペーパーＲへの接触面９ｂを上方へ傾斜させた硬い糸状の偏向植込み繊維面埋１３の埋め込み面とすることが可能である。
該偏向植込み繊維面１３は直線状合成樹脂製の一定の長さの硬質繊維を等間隔に密に全て同方向へ傾斜させて植え込んで形成される。この該偏向植込み繊維面１３は表面を繊維が倒れた方向に撫ぜると抵抗少なく円滑に回動するが、その逆方向に撫ぜると繊維が突き刺さるように引っ掛かる。このためペーパーＰの表面に対しての逆止効果が発揮される。
【００２３】
又、前記ロール送り出し部８の逆止面９ａをロールペーパーＲの後側面に対して常に当接させるために、図２に示すように、該逆止面９ａに対してロールペーパーＲを前側へ付勢する板状のバネ１０を設ける。
このバネ１０は、図２に示すように、新しいロールペーパーＲを前記両ロール支持部３間に下から装填するのに障害とならないように前記基部１の前面１ａの下側からロールペーパーＲに向けて斜め上に向けて設けることが好ましい。
このため、該バネ１０は、前記基部１の前面１ａに基部１０ｂを板バネ固定ネジ１１で固定し、図４に示すように、先端部１０ａ側に設けた該逆止体９の逆止面９ａが前記ペーパーＰの使用により径が減衰するロールペーパーＲの後側面に対して常に当接可能となる範囲に届くように長さを決め、ロールペーパーＲを前側へ押し出す方向に付勢させて固定する。
【００２４】
なお、図６中のａは前記バネ１０の基部１０ｂから先端部１０ａまでの長さであり、一点鎖線は先端部１０ａの移動可能な軌跡を示す。この軌跡が前記芯受け体４を越える程度に先端部１０ａまでの長さを決める。
前記バネ１０は逆止面９ａを常時ロールペーパーＲに接触させるためのバネ１０であり、合成樹脂製の板状の柔らかいバネ１０が使用できる。
該バネ１０が強力過ぎると、装填されているロールペーパーＲを常時前へ強く押し出した状態となり、前記芯材Ｓが前記芯受け体４の前側の出隅部４ａから離れて浮き上がり、後述の前記ロール押圧部６によるロールペーパーＲの押し上げに支障を来たす可能性があるので好ましくない。
又、前記バネ１０を用いた形態の他に、前記基部１の下部にフリー回転可能に板を枢支するか又は基部１又はロール支持部３に板をフリーに吊り、該板の前面に設けた逆止体９の逆止面９ａが常に前記ロールペーパーＲの後上部に自重で乗るように傾斜させた形態も可能である。この形態でも前記逆止体９の逆止面９ａを常時ロールペーパーＲに接触させておくことが可能となる。
【００２５】
又、前記ロールペーパーＲの前側上部面から下面に当接させて該ロールペーパーＲを押し上げ可能とするロール押圧部６を設ける。
前記ロール押圧部６は、各図においてはペーパー切断部５と一体的に兼用される形態を示している。
図４に示すロール押圧部６は前記ペーパーＰの使用により径が小さく減衰したロールペーパーＲの前方部に常に当接可能となるように、先端側板面下部１２ａを上へ膨らむように大きく湾曲させた板面１２の態様を示している。
【００２６】
前記ロール押圧部６をペーパー切断部５とは別に設ける場合、ペーパー切断部５は、図２に示すように上部にロールペーパーＲを被るように設けて、前記ロール押圧部６を前記ロールペーパーＲの外周面の前側上部面から下面にかけての部位に当接可能となるように、基部１又はロール支持部３設けることができる。
例えば、前記ロール押圧部６は、図示しないが、ロール支持部３の下部に枢支部を設けて上下擺動可能に設けて、該ロール押圧部６を手で下から上に押し上げることで前記ロールペーパーＲの外周面の下面に当接させその部位を押し上げることが可能となる。
【００２７】
又、前記ペーパー切断部５の基部５ｂとペーパー切断部との間には、図５に示すように、ペーパー切断刃５ａが確実に元の位置に戻るように付勢する戻りバネ１４を設けることができる。
本発明で使用されるロールペーパーＲは極めて軽いので、ペーパー切断部５の荷重が大きいとロールペーパーＲの正常な落下を阻害し、ロールペーパーＲの上部を前方向に円滑に回転させることが困難となる虞がある。このためペーパー切断部５の荷重に抗してペーパー切断刃５ａを確実に元の位置せる強さに付勢した戻りバネ１４を設けると良い。
【００２８】
次に、本発明のペーパーホルダーに装填されたロールペーパーＲの先端部を送り出す仕組みについて説明する。
【００２９】
ペーパーホルダーに保持させるロールペーパーＲは、図１に示す左右の両側の芯受け体４に吊れられた状態で装填される。
この状態ではロールペーパーＲの重心の位置は図３中のｃの位置にある。
ロールペーパーＲからペーパーＰを引き出して使用し、切り取った直後のペーパーＰの先端部Ｐ１は、図２に示すように、ささくれ部分が僅かに露出することがあるが全体として殆ど露出しない状態となり、指でペーパーの先端部Ｐ１を摘むことができなくなる。
前記芯受け体４に吊られているロールペーパーＲの芯材Ｓ内には前記芯受け体４の下に広い空洞Ｋがあり、ロールペーパーＲが自重で芯材Ｓが前記芯受け体４の出隅部４ａ、４ｂに該芯受け体４の出隅４ａ、４ｂと芯材Ｓとの前側の当接部ｘ、及び後側の当接部ｙとが乗った状態で吊り下げられ、ロールペーパーＲを前後へ押すと当接部ｘ、ｙを支点にして一定幅で振れる状態となる。
【００３０】
図６は本発明のペーパーホルダーにロールペーパーＲを前記芯受け体４に自重で吊り下げられて保持されている状態を示している。
この状態ではロールペーパーＲが芯受け体４の芯受け体４前側の出隅部４ａと芯受け体の後側の出隅部４ｂに吊られた状態となる。
そして、前記ペーパー切断部５のペーパー切断刃５ａがロールペーパーＲの前側に軽く乗って、ロール押し出し部８の逆止面９ａがロールペーパーＲの背後に押えるように接触した状態となる。
この時点では、ロールペーパーＲの重心は、図６中のｃ１の位置にある
なお、図６中のｂはペーパー切断部５の枢支部７から先端部のペーパー切断刃５ａまでの長さを示し、一点鎖線は前記枢支部７を重心に回転してペーパー切断刃５ａ及び該ペーパー切断刃５ａと一体的のロール押圧部６の移動可能となる軌跡を示す。
【００３１】
次に、ペーパー切断部５を上から手で押し下げると、図６に示すように、ペーパー切断部５の先端部のロール押圧部６がロールペーパーＲの前上部を半径ｂの一点鎖線に示す円形軌跡に沿って押し下げる。
すると、ロールペーパーＲは芯受け体４の芯受け体の前側の出隅部４ａに拘束され、該出隅部４ａを重心とした円運動を起こし、後側の当接部ｙが該芯受け体４の後側の出隅部４ｂから離れてロールペーパーＲの背後に接触したロール押し出し部８の逆止面９ａを押しつつ回転し、ロールペーパーＲが上向き白抜き矢印だけ上に押し上げられる。
この時点で、ロールペーパーＲの重心は、図６中のｃ１の位置からｃ２の位置に移動している。
【００３２】
この際、例えば図８に示すように、ペーパー切断部５の先端部に設けたロール押圧部６がロールペーパーＲの前側上部を押し下げると、ロールペーパーＲの芯材Ｓの前記芯受け体４の最上部との当接部ｊがそれより上方の当接部ｋへと移動することで前記ロール押圧部６を図のＰ１位置まで下げることが可能となる。
この結果、ロールペーパーＲの重心は、図８中のｃ１の位置から斜め上のｃ２の位置に移動する。
この際、ロール押圧部６によって前側が押し下げられたロールペーパーＲは前記芯受け体４の当接部ｊを支点として逆止面９ａとの接触部が回動し、その後、前記逆止面９ａからの抵抗を受けることがないので、図８中の時計回りに回転すると推定される。
【００３３】
次に、ペーパー切断部５から手を離すと、図７に示すように、ロールペーパーＲの自重でロールペーパーＲが下向き白抜き矢印で示す高低差で前記芯受け体４が空洞Ｋ内を移動しつつ落下する。
その落下の際、ロール押し出し部８に設けた逆止体９の逆止面９ａが抵抗となってロールペーパーＲは図７中の反時計回の回転が逆止されるためロールペーパーＲの落下が回転へと転換され、図３に示すように、ロールペーパーＰはペーパー切断刃５ａへの当接部Ｐ２の位置からロールペーパーＲ前側がペーパー切断刃５ａとの接触部が摺動して角度α回転し、ロールペーパーＰの先端部Ｐ１がペーパー切断部５の先端部から送り出されるものと推定される。
【００３４】
即ち、ロールペーパーＲの重心は、図７中のｃ２の位置から斜め下向き矢印で示す斜め下のｃ３の位置にまで下降する。この結果、ロールペーパーＰの先端部Ｐ１がペーパー切断刃５ａから一定の長さ、即ち図７中の太線で示すペーパー切断刃５ａからロールペーパーＰの先端部Ｐ１まで送り出される。
この際、前記逆止体９にバネ１０を設けた形態では該逆止体９の逆止面９ａが積極的にロールペーパーＲを前へと押し出してペーパー切断刃５ａから確実にロールペーパーＰの先端部Ｐ１を一定の長さで送り出すことが可能となる。
以上の如くロール押圧部６を手で押すか又は叩く作業を数度繰り返すと、図３中の一点鎖線で示すように、ロールペーパーＰの先端部Ｐ３がロールペーパーＲの前に長く垂れ下がり、その部分を指で摘むことが可能となる。
【００３５】
なお、前記ロール押し出し部８の逆止体９をロールペーパーＲの外周面の後側ではなく前側に接触するように設けた場合には、ロールペーパーＲの落下時にロールペーパーＲの上部に前方向の回転が得られず、ペーパー切断刃５ａの前にロールペーパーＰの先端部Ｐ１が送り出されなくなるか又は後ろに逆に戻りしてしまうため好ましくない。
【産業上の利用可能性】
【００３６】
本発明のペーパーホルダーは主としてトイレットペーパー用とするものであるが、円筒状の芯材にペーパーを巻着したロールペーパーを使用する手拭用等のホルダーについても利用可能である。
【符号の説明】
【００３７】
１    基部
１ａ    基部の前面
２    ロール装填部
３    ロール支持部
４    芯受け体
４ａ    芯受け体の前側の出隅部
４ｂ    芯受け体の後側の出隅部
５    ペーパー切断部
５ａ  ペーパー切断刃
５ｂ  ペーパー切断部の基部
６    ロール押圧部
７    枢支部
７ａ    枢支軸
８    ロール送り出し部
９    逆止体
９ａ    逆止面
９ｂ    接触面
１０    板バネ
１０ａ    板バネの先端部
１０ｂ    板バネの基部
１１    板バネ固定ネジ
１２    湾曲部
１３    偏向植込み繊維面
１４    戻りバネ
Ｒ    ロールペーパー
Ｓ    芯材
Ｋ    空洞
Ｐ    ペーパー
Ｐ１    ペーパーの先端部
Ｐ２    ペーパーのペーパー切断刃への当接部
Ｐ３    長く垂れたペーパーの先端部
ａ    バネの固定部から先端部までの長さ
ｂ    ペーパー切断部の枢支部から先端部までの長さ
ｃ    ロールペーパーの重心
ｃ１    手で押す前のロールペーパーの重心
ｃ２    手で押した後のロールペーパーの重心
ｃ３    送り出されたときのロールペーパーの重心
ｘ    芯材の芯受け体の前側の出隅との当接部
ｙ    芯材の芯受け体の後側の出隅との当接部
α    ロールペーパーの回転角度
ｊ    芯受け体の出隅と前側の芯材との当接部
ｋ    芯受け体の出隅と前側の芯材との当接部
【図１】
2014239946.tif 000003
【図２】
2014239946.tif 000004
【図３】
2014239946.tif 000005
【図４】
2014239946.tif 000006
【図５】
2014239946.tif 000007
【図６】
2014239946.tif 000008
【図７】
2014239946.tif 000009
【図８】
2014239946.tif 000010